(57)【要約】【課題】  美術館、博物館、店舗等に設置する展示ケースにおいて、閉止時には透明扉が面一に連続して気密状態を保ち、開放時には引き違い状態で二枚の透明扉が前後に位置し、透明扉の開閉動作が軽く、空間占有率が低い展示ケースにおける扉開閉装置を提供する。【解決手段】  可動式透明扉３の下端両側部に戸車８を設け、上端両側部にガイドローラを設け、固定式透明板２の前面側の上下部に沿って平行に退避レール４を設け、退避レールから連続して端部が固定式透明板の延長線上まで延びたガイドレール５を設け、下方のガイドレールの一部であって閉止位置における固定式透明板側の戸車が停止する部分を分割レール６とし、分割レールをリニアガイド１２にて奥行方向へ移動可能とする一方、上方のガイドレールの一部に固定式透明板側のガイドローラを受け入れる奥行方向の分岐レールを形成した。【選択図】        図４
2010248805.tif 000002
【特許請求の範囲】
【請求項１】
開口部を有する展示ケース本体と、該開口部に配置する複数枚の透明扉と、閉止時には各透明扉が面一に連続して気密状態を保ち、開放時には隣接する二枚の透明扉が引き違い状態で前後に位置するように案内する開閉機構とからなる展示ケースにおいて、少なくとも固定式の一枚の透明扉と可動式の一枚の透明扉とを備え、該可動式透明扉の下端両側部に戸車を設けるとともに、上端両側部にガイドローラを設け、固定式透明板の前面側の上下部に沿って平行に退避レールを設けるとともに、該退避レールから連続して端部が前記固定式透明板の延長線上まで延びたガイドレールを設け、下方のガイドレールの一部であって閉止位置における可動式透明扉の固定式透明板側の戸車が停止する部分を分割レールとし、該分割レールをリニアガイドにて前記戸車が乗った状態で展示ケース本体の奥行方向へ移動可能とする一方、上方のガイドレールの一部に前記可動式透明扉の固定式透明板側のガイドローラを受け入れる奥行方向の分岐レールを形成したことを特徴とする展示ケースにおける扉開閉装置。
【請求項２】
前記分割レールは、前記固定式透明板の延長線上の位置と、前記ガイドレールに接合して連続したレールを形成する位置とに、ロック手段で位置固定可能としてなる請求項１記載の展示ケースにおける扉開閉装置。
【請求項３】
前記分割レールは、平面視台形状であり、前記ガイドレールの端部と退避レールの端部間に形成した平面視台形状の切欠部に接合可能である請求項１又は２記載の展示ケースにおける扉開閉装置。
【請求項４】
前記戸車は、水平な支軸を備え、前記透明扉の下端の少なくとも両側部に設けた支持枠体に内蔵し、前記ガイドレール及び退避レールに沿ってのみ転動可能である請求項１〜３何れかに記載の展示ケースにおける扉開閉装置。
【請求項５】
前記展示ケース本体の開口部の上下框にパッキン材を配設するとともに、前記固定式透明板と可動式透明扉の側端縁の一方又は双方に目地材を配設し、各透明扉を面一に連続させて閉止した際に、前記可動式透明扉の背面上下部を前記パッキン材に圧接するとともに、目地材で固定式透明板と可動式透明扉の側端縁同士を密閉し、更に展示ケース本体の開口部の上下部に上下回動可能に設けた施錠可能な上カバーと下カバーを閉じて、前記各透明扉の前面上下部を当止してなる請求項１〜４何れかに記載の展示ケースにおける扉開閉装置。
【発明の詳細な説明】
【技術分野】
【０００１】
本発明は、展示ケースにおける扉開閉装置に係わり、更に詳しくは美術館、博物館、店舗等に設置する展示ケースにおいて、ガラス扉等の透明扉を開閉する装置に関するものである。
【背景技術】
【０００２】
従来から、美術館、博物館、店舗等に設置する展示ケースにおいて、ガラス扉等の開閉装置において、展示ケース本体の前面開口部に複数枚のガラス扉を配設し、開口部を閉じたときには各ガラス扉が直線上に並んで鑑賞窓となり、展示物の搬出入や点検等で開くときには、開放するガラス扉を隣接するガラス扉に対して前後にずらせ、横方向に移動させる開閉機構が採用されている。
【０００３】
例えば、特許文献１には、ガラス板等の透明剛体を主体として形成される固定戸板および可動戸板を備えてなり、相互に隣接する固定戸板及び可動戸板を閉止位置において面一に連続させ得るように構成された展示ケースにおいて、前記固定戸板の上下両縁の近傍に並設される固定レールと、前記可動戸板の固定レール側端部近傍の少なくとも下縁側に取着される第１支持部材と、該固定レール側端部近傍の上縁及び下縁を第１支持部材を介して又は直接に支持しこれらの上縁及び下縁を閉止時の位置から前記固定レールの端部に連続する位置にまで案内する上下に固定された第１ガイドレールと、前記可動戸板の反固定レール側端部近傍の少なくとも下縁側に取着される第２支持部材と、該反固定レール側端部近傍の上縁及び下縁を第２支持部材を介して又は直接に支持しこれらの上縁及び下縁を閉止時の位置から前記固定レールの端部に連続する位置にまで案内する上下に固定された第２ガイドレールとを設け、前記可動戸板の下縁側に取着される第１支持部材を、ガイドレール上に添設した状態で任意方向に移動可能なものにより構成している展示ケースが開示されている。
【０００４】
しかし、特許文献１に記載の扉開閉装置は、固定レール側端部近傍に設けた第１支持部材として、可動戸板の重量を支持しつつ、第１ガイドレールに沿って奥行方向に移動するとともに、固定レールに沿って横方向に移動する必要があるので、任意方向に移動可能な転動ボールを主体として構成されるベアリングを用いているので、第１支持部材の部品寸法が大きくなり、必然的に第１ガイドレールと固定レールの横幅も大きくなり、展示ケース本体における扉開閉装置の占有体積が大きくなるといった欠点がある。その上、転動ボールを用いたベアリングは、比較的動作が重く、また移動時にゴロゴロと大きな異音を発生し、特に大型のガラス扉を支持する場合には、開閉操作に多大な労力を要するのである。また、開放時には、固定戸板の背面に可動戸板が位置する開閉機構であるので、閉止時に各戸板と展示ケース本体との気密性を確保することは難しい。
【０００５】
一方、特許文献２には、ケース本体の前面に同一の基準平面に配置された複数組のガラス板等の透明扉をその各組毎に透明扉の厚さ方向に平行状に移動させた後、他方の組の透明扉の広幅面と重なるように平行移動可能に構成してなる展示ケースにおいて、前記各組の透明扉の下端部を支持する支持手段には、前記組数と同じ数の下部レールを透明扉の厚さ方向に所定間隔にて並設し、隣接する支持手段毎に、下部レールに対する前記透明扉の下端部の支持位置を予めずらして配置する一方、透明扉の横移動方向に対して隣接した複数の下部レールが相互に連通するように、各支持手段を異なる距離だけ前後水平移動させる駆動手段を備えた展示ケースにおける透明扉装置が開示されている。
【０００６】
この特許文献２に記載の扉開閉装置は、レールに沿った横方向のみに扉を移動させれば良いので、奥行寸法が小さな比較的大きな直径の車輪やコロを有する戸車を用いることができるので、扉開閉動作が軽く、大型のガラス扉にも適用することができる反面、２本のレールを平行に配するとともに、それを奥行方向へレール間隔分だけ平行移動させるので、実質的に３本のレールを奥行方向へ等間隔で平行に配置するだけのスペースが必要であり、扉開閉装置の空間占有率が高くなり、展示効果において好ましくない。
【先行技術文献】
【特許文献】
【０００７】
【特許文献１】特開平０８−１８７１４２号公報
【特許文献２】特開平１１−１３１８９５号公報
【発明の概要】
【発明が解決しようとする課題】
【０００８】
そこで、本発明が前述の状況に鑑み、解決しようとするところは、美術館、博物館、店舗等に設置する展示ケースにおいて、閉止時にはガラス扉等の各透明扉が面一に連続して気密状態を保ち、開放時には引き違い状態で二枚の透明扉が前後に位置し、透明扉の開閉動作が軽く、しかも奥行方向の空間占有率が低い展示ケースにおける扉開閉装置を提供する点にある。
【課題を解決するための手段】
【０００９】
本発明は、前述の課題解決のために、開口部を有する展示ケース本体と、該開口部に配置する複数枚の透明扉と、閉止時には各透明扉が面一に連続して気密状態を保ち、開放時には隣接する二枚の透明扉が引き違い状態で前後に位置するように案内する開閉機構とからなる展示ケースにおいて、少なくとも固定式の一枚の透明扉と可動式の一枚の透明扉とを備え、該可動式透明扉の下端両側部に戸車を設けるとともに、上端両側部にガイドローラを設け、固定式透明板の前面側の上下部に沿って平行に退避レールを設けるとともに、該退避レールから連続して端部が前記固定式透明板の延長線上まで延びたガイドレールを設け、下方のガイドレールの一部であって閉止位置における可動式透明扉の固定式透明板側の戸車が停止する部分を分割レールとし、該分割レールをリニアガイドにて前記戸車が乗った状態で展示ケース本体の奥行方向へ移動可能とする一方、上方のガイドレールの一部に前記可動式透明扉の固定式透明板側のガイドローラを受け入れる奥行方向の分岐レールを形成したことを特徴とする展示ケースにおける扉開閉装置を構成した（請求項１）。
【００１０】
ここで、前記分割レールは、前記固定式透明板の延長線上の位置と、前記ガイドレールに接合して連続したレールを形成する位置とに、ロック手段で位置固定可能としてなることが好ましい（請求項２）。
【００１１】
更に、前記分割レールは、平面視台形状であり、前記ガイドレールの端部と退避レールの端部間に形成した平面視台形状の切欠部に接合可能であることがより好ましい（請求項３）。
【００１２】
また、前記戸車は、水平な支軸を備え、前記透明扉の下端の少なくとも両側部に設けた支持枠体に内蔵し、前記ガイドレール及び退避レールに沿ってのみ転動可能である（請求項４）。
【００１３】
そして、前記展示ケース本体の開口部の上下框にパッキン材を配設するとともに、前記固定式透明板と可動式透明扉の側端縁の一方又は双方に目地材を配設し、各透明扉を面一に連続させて閉止した際に、前記可動式透明扉の背面上下部を前記パッキン材に圧接するとともに、目地材で固定式透明板と可動式透明扉の側端縁同士を密閉し、更に展示ケース本体の開口部の上下部に上下回動可能に設けた施錠可能な上カバーと下カバーを閉じて、前記各透明扉の前面上下部を当止してなることが好ましい（請求項５）。
【発明の効果】
【００１４】
以上にしてなる請求項１に係る発明の展示ケースにおける扉開閉装置は、少なくとも固定式の一枚の透明扉と可動式の一枚の透明扉とを備え、該可動式透明扉の下端両側部に戸車を設けるとともに、上端両側部にガイドローラを設け、固定式透明板の前面側の上下部に沿って平行に退避レールを設けるとともに、該退避レールから連続して端部が前記固定式透明板の延長線上まで延びたガイドレールを設け、下方のガイドレールの一部であって閉止位置における可動式透明扉の固定式透明板側の戸車が停止する部分を分割レールとし、該分割レールをリニアガイドにて前記戸車が乗った状態で展示ケース本体の奥行方向へ移動可能とする一方、上方のガイドレールの一部に前記可動式透明扉の固定式透明板側のガイドローラを受け入れる奥行方向の分岐レールを形成したので、可動式透明扉の重量が重くなっても開閉動作が軽く、しかも戸車を用いて構成できるので、扉開閉装置の空間占有率が低いにも係わらす、ガイドレールと退避レールに沿って容易に移動させることができ、しかも固定式透明板の前面側に沿って可動式透明扉を開く構造であるので、展示空間を広く利用することができ、不意に可動式透明扉が展示物に衝突する恐れもないのである。
【００１５】
請求項２によれば、前記分割レールは、前記固定式透明板の延長線上の位置と、前記ガイドレールに接合して連続したレールを形成する位置とに、ロック手段で位置固定可能としてなるので、可動式透明扉を閉止した状態を確実に維持することができるとともに、開放途中で分割レールが不意に前後移動することがないので、開閉動作が安定する。
【００１６】
請求項３によれば、前記分割レールは、平面視台形状であり、前記ガイドレールの端部と退避レールの端部間に形成した平面視台形状の切欠部に接合可能であるので、分割レールがガイドレールと退避レールとに正確な位置で接合して連続し、また接合線がレールの長手方向に対して傾斜するので、該接合線を戸車が通過する際にもガタつきがないのである。
【００１７】
請求項４によれば、前記戸車は、水平な支軸を備え、前記透明扉の下端の少なくとも両側部に設けた支持枠体に内蔵し、前記ガイドレール及び退避レールに沿ってのみ転動可能であるので、戸車の奥行方向の厚さを抑えても、可動式透明扉の移動動作が軽く、しかもガイドレール、退避レール、分割レールの奥行幅を小さくでき、もって扉開閉装置の空間占有率を抑制できるので、展示ケースの開口部がすっきりとした外観になり、展示空間も最大に確保できるのである。
【００１８】
請求項５によれば、前記展示ケース本体の開口部の上下框にパッキン材を配設するとともに、前記固定式透明板と可動式透明扉の側端縁の一方又は双方に目地材を配設し、各透明扉を面一に連続させて閉止した際に、前記可動式透明扉の背面上下部を前記パッキン材に圧接するとともに、目地材で固定式透明板と可動式透明扉の側端縁同士を密閉し、更に展示ケース本体の開口部の上下部に上下回動可能に設けた施錠可能な上カバーと下カバーを閉じて、前記各透明扉の前面上下部を当止してなるので、可動式透明扉を閉止した際に、展示ケース本体の開口部を気密状態にすることができ、展示空間の調湿が容易になり、展示物の劣化を防止することができる。
【図面の簡単な説明】
【００１９】
【図１】固定式透明板の両側に可動式透明扉を配置した３枚扉構成の展示ケースにおける扉開閉装置を示す簡略正面図である。
【図２】固定式透明板の両側に可動式透明扉を配置した３枚扉構成と、固定式透明板の一側に１枚の可動式透明扉を配置した２枚扉構成と、を組み合わせた５枚扉構成の展示ケースにおける扉開閉装置を示す簡略正面図である。
【図３】本発明の展示ケースにおける扉開閉装置におけるレール構造を示し、（ａ）は下部レール構造の説明図、（ｂ）は上部レール構造の説明図である。
【図４】下部レール構造の最小基本構成を示す簡略平面図である。
【図５】本発明に係る展示ケースの全体を示す簡略縦断面図である。
【図６】分割レールの周囲構造の詳細を示す拡大部分平面図である。
【図７】同じく分割レールの周囲構造を示す部分縦断正面図である。
【図８】同じく分割レールの周囲構造を示す部分縦断側面図である。
【図９】可動式透明扉を支持する分割レールが後側移動終端に位置した状態の部分縦断側面図である。
【図１０】可動式透明扉を支持する分割レールが前側移動終端に位置した状態の部分縦断側面図である。
【図１１】扉開閉装置の上部構造と上カバーを示し、（ａ）は上カバーを閉じた状態の縦断側面図、（ｂ）は上カバーを小角度開いた状態の縦断側面図である。
【図１２】上カバーを小角度開いた状態を維持するサポート手段を示し、（ａ）は弾性コロが通常の状態を示す部分断面図、（ｂ）は弾性コロが弾性変形した状態を示す部分断面図である。
【図１３】上カバーを全開して照明器具のメンテナンスを行うためのサポート手段を示し、（ａ）は上カバーを全開した状態の縦断側面図、（ｂ）は上カバーを閉じた状態の縦断側面図である。
【発明を実施するための形態】
【００２０】
次に、添付図面に示した実施形態に基づき、本発明を更に詳細に説明する。図１及び図２は本発明に係る展示ケースにおける扉開閉装置を適用した実施形態を示し、図３及び図４は扉開閉装置の開閉動作の説明図であり、図５〜図１２は本発明の詳細を示し、図中符号１は展示ケース本体、２は固定式透明板、３は可動式透明扉、４は退避レール、５はガイドレール、６は分割レール、７は分岐レール、８は戸車をそれぞれ示している。
【００２１】
本発明に係る展示ケースにおける扉開閉装置は、図３〜図６に示すように、開口部９を有する展示ケース本体１と、該開口部９に配置する複数枚の透明扉２，３，…と、閉止時には各透明扉２，３，…が面一に連続して気密状態を保ち、開放時には隣接する二枚の透明扉２，３が引き違い状態で前後に位置するように案内する開閉機構とからなる展示ケースにおいて、少なくとも固定式の一枚の透明扉２と可動式の一枚の透明扉３とを備え、該可動式透明扉３の下端両側部に戸車８，８を設けるとともに、上端両側部にガイドローラ１０，１０を設け、固定式透明板２の前面側の上下部に沿って平行に退避レール４を設けるとともに、該退避レール４から連続して端部１１が前記固定式透明板２の延長線上まで延びたガイドレール５を設け、下方のガイドレール５の一部であって閉止位置における可動式透明扉３の固定式透明板２側の戸車８が停止する部分を分割レール６とし、該分割レール６をリニアガイド１２，１２にて前記戸車８が乗った状態で展示ケース本体１の奥行方向へ移動可能とする一方、上方のガイドレール５の一部に前記可動式透明扉３の固定式透明板２側のガイドローラ１０を受け入れる奥行方向の分岐レール７を形成したものである。
【００２２】
本発明の扉開閉装置は、図１〜図４に示すように、１枚の固定式透明板２の一側に１枚の可動式透明扉３を配置する２枚扉構成と、１枚の固定式透明板２の両側に２枚の可動式透明扉３，３を配置する３枚扉構成とを基本構成とし、展示ケース本体１の開口部９の間口に応じてそれらを組み合わせて設置する。図１は、３枚扉構成のみで構成した例を示し、図２は、２枚扉構成と３枚扉構成とで構成した例を示している。図３は、図２の構成の場合の扉開閉動作を説明するための簡略説明図であり、図３（ａ）は下部側、図３（ｂ）は上部側をそれぞれ示している。特に、上部側と下部側で区別する必要がある場合には、退避レール４とガイドレール５に、下部側は「Ａ」を付記し、上部側は「Ｂ」を付記して表すことにする。
【００２３】
更に、図５、図８〜図１０及び図１１に示すように、前記展示ケース本体１の開口部９の上下框にパッキン材１３，１３を配設するとともに、前記固定式透明板２と可動式透明扉３の側端縁の一方又は双方に目地材１４を配設し、各透明扉２，３，…を面一に連続させて閉止した際に、前記可動式透明扉３の背面上下部を前記パッキン材１３，１３に圧接するとともに、目地材１４で固定式透明板２と可動式透明扉３の側端縁同士を密閉し、更に展示ケース本体１の開口部９の上下部に上下回動可能に設けた施錠可能な上カバー１５と下カバー１６を閉じて、前記各透明扉２，３，…の前面上下部を当止するようになっている。
【００２４】
更に詳しくは、前記展示ケース本体１は、図５に示すように、前面に開口部９を形成した大型の箱体であり、該開口部９を前記固定式透明板２と可動式透明扉３とで気密状態で閉止し、これら透明扉２，３，…を通して内部の展示空間１７に収容した展示物を閲覧、観覧することができるようになっている。そして、前記展示空間１７の上方には照明器具１８，…が設けられている。前記照明器具１８は、前記上カバー１５を開いて、手前に引き出して交換できるようになっている。
【００２５】
前記固定式透明板２と可動式透明扉３は、本実施形態では厚さ１０ｍｍのガラス板で構成している。前記固定式透明板２は、一枚置きに開口部９の上下部に適宜な気密固定手段で取付けている。図４、図７〜図１０に示すように、前記可動式透明扉３の下端の両側部に支持枠体２０，２０を取付け、該支持枠体２０に水平な支軸２１を備えた前記戸車８を内蔵している。また、図１１に示すように、前記可動式透明扉３の上端の両側部に支持枠体２２，２２を取付け、該支持枠体２２に垂直な支軸１０Ａを備えた前記ガイドローラ１０を設けている。
【００２６】
前記支持枠体２０は、図８〜図１０に示すように、中央部に断面四角形の芯管２３を水平に配置し、その両側に支持板２４，２４を固定して断面略Ｈ字形に形成したものであり、該芯管２３の上部で両支持板２４，２４の間に前記可動式透明扉３の下端を受け入れて適宜パッキン材で保持し、前記芯管２３の下部で両支持板２４，２４の間に前記戸車８を内蔵している。また、前記支持枠体２２は、図１１に示すように、上部に断面四角形の芯管２５を水平に配置し、その両側に支持板２６，２６を固定して断面略コ字形に形成したものであり、該芯管２５の下部で両支持板２６，２６に前記可動式透明扉３の上端を受け入れて適宜パッキン材で保持し、前記芯管２５の中央部に前記支軸１０Ａを垂設し、前記ガイドローラ１０を回転可能に支持している。
【００２７】
下部の前記退避レール４Ａとガイドレール５Ａは、共に上方へ解放した断面略コ字形の長尺部材であり、前記分割レール６も同一断面形状である。前記分割レール６の断面形状は図８に示してあり、前側立壁２７が後側立壁２８より高い形状となっている。図４に示すように、前記退避レール４Ａは直線状に形成している。一方、前記ガイドレール５Ａの一部に設けた分割レール６は、前記退避レール４Ａに対して平行に形成し、該分割レール６の近傍は前記退避レール４Ａに対して平行に形成した後、前記端部１１にかけて直線状に延びている。つまり、前記前記ガイドレール５Ａは、平面視略へ字状の形状である。また、上部の前記退避レール４Ｂとガイドレール５Ｂは、共に下方へ解放した断面略コ字形の長尺部材であり、前記退避レール４Ａとガイドレール５Ａと平面視形状で一致している。そして、前記ガイドレール５Ｂの一部に奥行方向後方へ向けて形成した分岐レール７は、後側立壁の一部を切り欠き、その部分に下方解放したボックス状の部材を溶接して形成している。前記分割レール６の前後移動量と、ガイドレール５Ｂの本体部分から分岐レール７へのガイドローラ１０の移動量は略同じである。
【００２８】
前記分割レール６は、図６及び図７に示すように、一対のリニアガイド１２，１２にて奥行方向へ移動可能としている。前記リニアガイド１２は、展示ケース本体１の開口部９の底面部に奥行方向に敷設したレール２９に移動体３０をスライド移動可能に設けたものであり、それぞれの移動体３０，３０の上に前記分割レール６を載置して固定している。前記分割レール６は、平面視台形状であり、前側立壁２７の横幅は後側立壁２８の横幅よりも短く設定し、該分割レール６を前方へ移動させた際に、斜辺部分が前記退避レール４とガイドレール５の傾斜切断部分に接合し、退避レール４とガイドレール５が分割レール６を介して連続する。また、前記分割レール６を後方へ移動させた際には、前記可動式透明扉３が前記固定式透明板２と面一になるまで移動する。
【００２９】
前記分割レール６は、奥行方向の移動終端では、移動を規制する必要がある。そのため、図６〜図８に示すように、前記分割レール６の前方移動終端位置と後方移動終端位置とで固定するロック機構を設けている。このロック機構は、前記分割レール６の前側立壁２７の中央部前面に、下方へ出没する閂杆３１を設けるとともに、開口部９の底面部の前後位置に係合穴３２，３３を設け、前記分割レール６が前方移動終端位置で前方の係合穴３２に閂杆３１が係合し、後方移動終端位置で後方の係合穴３３に係合するようになっている。
【００３０】
また、前述のロック機構で、前記分割レール６をロックするまで、該分割レール６の移動を仮止めすることが好ましい。そのために、先ず前記分割レール６をスチールやステンレス等の強磁性体で作製し、図６及び図７に示すように、前記退避レール４とガイドレール５の傾斜切断部分の前側に固定したマグネットキャッチ３４，３４で、分割レール６の前方移動終端位置で前側立壁２７の両端部を吸着するようになっている。また、前記分割レール６を後方移動終端位置に持ってくる場合には、前記可動式透明扉３を固定する場合であるので、下部の支持枠体２０と上部の支持枠体２２をスチールやステンレス等の強磁性体で作製し、図９及び図１１に示すように、開口部９の下部内方に設けたマグネットキャッチ３５で下部の支持枠体２０の支持板２４を吸着するとともに、開口部９の上部内方に設けたマグネットキャッチ３６で上部の支持枠体２２の支持板２６を吸着する。このマグネットキャッチ３５，３６で上下部の支持枠体２０，２２を吸着した状態で、前記上下框のパッキン材１３，１３に可動式透明扉３の裏面が密着する。
【００３１】
次に、前記可動式透明扉３，…を閉止状態で、前記上カバー１５と下カバー１６を回動させて閉じ、前記可動式透明扉３，…と固定式透明板２，…の上下部表面を圧接する。具体的には、前記下カバー１６は、図５及び図８に示すように、側面視倒Ｌ字形の部材であり、下端を蝶番３７で回動可能に保持し、上端に内側へ屈曲して延びた当止部３８を有し、該当止部３８の内側端に設けた緩衝部材３９を前記固定式透明板２，…と可動式透明扉３，…の下部表面に圧接し、その状態で当該下カバー１６に設けた施錠具４０を下框部に係止して、閉止状態を維持する。
【００３２】
一方、前記上カバー１５は、図５及び図１１に示すように、側面視Ｌ字形の部材であり、上端を蝶番４１で回動可能に保持するとともに、エアーシリンダー４２で補助している。ここで、前記下カバー１６は、自重で開放状態を維持できるが、前記上カバー１５を開放状態で維持するにはサポート手段が必要である。本実施形態では、前記上カバー１５の開放角度を二段階で保持できるようにしている。先ず、一段階目のサポート手段は、前記可動式透明扉３を手前に変位させて前記固定式透明板２の前面側に沿って移動させることを許容できる程度の小さな角度で該可動式透明扉３を開放するものである。それには、図１１及び図１２に示すように、前記展示ケース本体１の展示空間１７の上部で、前記蝶番４１より下方位置に上面が半円筒面となっている突起４３を固定し、前記上カバー１５の下部裏面に前記突起４３を弾性的に乗り越えることが可能な弾性コロ４４を設けている。
【００３３】
前記弾性コロ４４は、前記上カバー１５の裏面に固定する台座４５にボルト４６を直角に螺合し、コロ４７を支持する取付金具４８の基部に設けた垂直な取付片４９に開口した通孔（図示せず）を前記ボルト４６に遊挿するとともに、ボルト４６の頭部５０との間に肉厚の大きなゴムワッシャ５１を介在させた構造である。通常は、前記ゴムワッシャ５１により、前記取付片４９が台座４５に接触した状態が維持されるが、前記コロ４７が前記突起４３を乗り越えるときに、前記ゴムワッシャ５１を圧縮して取付金具４８が上方へ弾性的に変位するのである。前記上カバー１５を閉じたときには、前記コロ４７は突起４３の内側に位置し、前記上カバー１５を開くときに、前記ゴムワッシャ５１を変形させながら前記コロ４７が突起４３を乗り越え、乗り越えと同時に元の状態に復元し、その状態で上カバー１５から手を離しても前記弾性コロ４４のコロ４７で突起４３の外側を当止し、所定角度開放した状態を維持するのである。ここで、前記ゴムワッシャ５１の代わりに、コイルバネを用いても良く、あるいは前記取付片４９を板バネで構成し、該取付片４９をボルト４６で台座４５に固く締結しても良い。
【００３４】
尚、前記上カバー１５の二段階目のサポート手段は、図５及び図１３に示すように、前記照明器具１８をメンテナンスする際に全開状態で維持するものである。前記照明器具１８は、展示ケース本体１の上端部の空間に前後移動手段５２に設けられており、メンテナンス時に手前へ引き出し、前後移動手段５２の前端の上部に突設した支持コロ５３で上カバー１５の遊端部裏面を当止する構造となっている。
【００３５】
また、前記上カバー１５の下端に後方へ屈曲して延設した当止部５４を有し、該上カバー１５を閉じた際に、前記当止部５４の内側端に設けた緩衝部材５５を前記固定式透明板２，…と可動式透明扉３，…の上部表面を当止可能とするとともに、該上カバー１５の裏面に突設した当止部材５６の先端で前記支持枠体２２を圧接するようになっている。ここで、この上カバー１５を閉じた状態をロックする手段を別途設けるとより好ましい。尚、前記上カバー１５を閉じた際に、先ず当止部材５６の先端で前記支持枠体２２を圧接して強く保持し、前記当止部５４の緩衝部材５５は、可動式透明扉３が前方へ変位したときに当止するようにすることが好ましい。
【００３６】
本実施形態における可動式透明扉３の開閉動作を説明する。先ず、開放対象となる可動式透明扉３の固定式透明板２側の端部、即ち前記分割レール６の上方位置に、図示しない吸着ハンドルを取付けるとともに、前記上カバー１５と下カバー１６を開き、それから前記閂杆３１を上方へスライドさせて後方の係合穴３３から抜き、前記吸着ハンドルを持って手前に引くと、マグネットキャッチ３５，３６の吸着から開放されて前記分割レール６に戸車８が載置された状態で、リニアガイド１２，１２に案内されて可動式透明扉３の一側部が手前に移動する。そして、前記分割レール６が前側移動終端で前記退避レール４とガイドレール５に連続し、その状態で前側のマグネットキャッチ３４に吸着されて仮止めされ、それから前記閂杆３１を下方へスライドさせて前方の係合穴３２に係合し、その状態を維持する。最後に、前記吸着ハンドルを持って可動式透明扉３を固定式透明板２側に引けば、前記分割レール６に乗っていた戸車８は、分割レール６から退避レール４に沿って転動するとともに、ガイドレール５の端部１１に位置していた戸車８は、該ガイドレール５から、分割レール６を通って退避レール４に至り、該可動式透明扉３が固定式透明板２の前面側に平行に位置し、もって可動式透明扉３が元あった部分が開放される。
【００３７】
そして、開放状態の可動式透明扉３を閉じる場合には、前記吸着ハンドルを持って該可動式透明扉３をガイドレール５側へ引くと、一方の戸車８が分割レール６を通ってガイドレール５の端部１１まで転動し、他方の戸車８が分割レール６に載置される位置まで転動する。その状態で、前記閂杆３１を上方へスライドさせて前方の係合穴３２から抜き、前記吸着ハンドルを奥行方向に押し込むと、分割レール６は前側のマグネットキャッチ３４の吸着から開放されてリニアガイド１２，１２に案内されて可動式透明扉３の一側部が後側移動終端まで移動し、後方のマグネットキャッチ３５，３６に吸着されて仮止めされ、それから閂杆３１を下方へスライドさせて後方の係合穴３３に係合する。それから、上カバー１５と下カバー１６を閉じてそれぞれの緩衝部材５５，３９で固定式透明板２と可動式透明扉３の上下部表面を当止する。最後に、前記吸着ハンドルを可動式透明扉３から外して完了する。
【符号の説明】
【００３８】
１  展示ケース本体、            ２  固定式透明板、
３  可動式透明扉、              ４，４Ａ，４Ｂ  退避レール、
５，５Ａ，５Ｂ  ガイドレール、  ６  分割レール、
７  分岐レール、                ８  戸車、
９  開口部、                    １０  ガイドローラ、
１０Ａ  支軸、                  １１  端部、
１２  リニアガイド、            １３  パッキン材、
１４  目地材、                  １５  上カバー、
１６  下カバー、                １７  展示空間、
１８  照明器具、
２０  支持枠体、                ２１  支軸、
２２  支持枠体、                ２３  芯管、
２４  支持板、                  ２５  芯管、
２７  前側立壁、                ２８  後側立壁、
２９  レール、                  ３０  移動体、
３１  閂杆、                    ３２  係合穴、
３３  係合穴、                  ３４  マグネットキャッチ、
３５  マグネットキャッチ、      ３６  マグネットキャッチ、
３７  蝶番、                    ３８  当止部、
３９  緩衝部材、                ４０  施錠具、
４１  蝶番、                    ４２  エアーシリンダー、
４３  突起、                    ４４  弾性コロ、
４５  台座、                    ４６  ボルト、
４７  コロ、                    ４８  取付金具、
４９  取付片、                  ５０  頭部、
５１  ゴムワッシャ、            ５２  前後移動手段、
５３  支持コロ、                ５４  当止部、
５５  緩衝部材、                ５６  当止部材、
Ｆ  床面。
【図１】
2010248805.tif 000003
【図２】
2010248805.tif 000004
【図３】
2010248805.tif 000005
【図４】
2010248805.tif 000006
【図５】
2010248805.tif 000007
【図６】
2010248805.tif 000008
【図７】
2010248805.tif 000009
【図８】
2010248805.tif 000010
【図９】
2010248805.tif 000011
【図１０】
2010248805.tif 000012
【図１１】
2010248805.tif 000013
【図１２】
2010248805.tif 000014
【図１３】
2010248805.tif 000015